(57)【要約】  【課題】  平板状の物品をサイズの如何に拘らず安定して平置き収納することができ、また収納形態を変えて複数の物品の一括収納にも対応可能な収納トレイを提供する。  【解決手段】  底板10上面にスライド移動可能に取り付けられた受け具３，３…を、底板10に装着した位置決めピン４，４…と夫々係合させて位置決めし、これらの受け具３，3 …の上部に、平板状の物品であるパネルモジュール２の周縁部を支持させ、底板10の上部に平板状をなす物品を平置き収納する構成とする。【選択図】      図２
2005145461.tif 000002
【特許請求の範囲】
【請求項１】
平板状をなす物品を底板上に平置き収納する収納トレイにおいて、
前記底板の上面にスライド可能に取付けられ、前記物品の周縁を支持する受け座を夫々の上部に有する複数の受け具と、
各受け具のスライド域に対応して前記底板に形成されたピン孔と、
該ピン孔に装着され、夫々の受け具に設けた係合部と各別に係合して、各受け具を夫々のスライド域内の所定位置に位置決めする位置決めピンと
を備えることを特徴とする収納トレイ。
【請求項２】
前記係合部は、前記受け具のスライド方向と平行をなす外側面に設けてある請求項１記載の収納トレイ。
【請求項３】
前記受け具の下面に突設された支持脚と、前記底板に貫通形成された長孔とを備え、前記受け具は、前記支持脚を前記長孔に差し込み、該長孔をスライド案内として前記底板に着脱自在に取付けてある請求項１又は請求項２記載の収納トレイ。
【請求項４】
前記長孔は、収納対象となる物品に応じて前記受け具の取付けの有無を選択すべく、前記底板の面内の複数箇所に設けてある請求項３記載の収納トレイ。
【請求項５】
前記支持脚は、前記長孔を貫通して前記底板の下面に突出する先端部に、前記長孔の側縁との当接により抜け止め作用をなす止め輪を備える請求項３又は請求項４記載の収納トレイ。
【請求項６】
前記受け具は、発泡樹脂製である請求項１乃至請求項５のいずれか１つに記載の収納トレイ。
【請求項７】
前記位置決めピンは、ゴム材料製である請求項１乃至請求項６のいずれか１つに記載の収納トレイ。
【請求項８】
前記位置決めピンは、前記受け具の外側からの係合が可能な引っ掛け部を備える請求項１乃至請求項７のいずれか１つに記載の収納トレイ。
【請求項９】
液晶ディスプレイ装置用のパネルモジュールを収納対象物品として構成してある請求項１乃至請求項８のいずれか１つに記載の収納トレイ。
【発明の詳細な説明】
【技術分野】
【０００１】
本発明は、平板状の物品を底板上に平置き収納すべく用いられる収納トレイに関し、更に詳しくは、サイズの異なる平板状の物品を共通に収納すべく用いられる収納トレイに関する。
【背景技術】
【０００２】
液晶パネルの一面にフィルタパネルを積層し、これらを、周縁に設けた駆動回路等の回路部品と共に外枠内に収め、更に、液晶パネルの他面にバックライトユニットを取付けて構成される液晶ディスプレイ装置の製造工程においては、工程間の搬送、工程間での保管のために、矩形平板状をなすパネルモジュール（液晶パネル、フィルタパネル、ベゼル付きパネル、又はベゼル及びバックライト付きパネル）を、一枚毎に、又は複数枚単位で平置き収納する収納トレイが用いられている。
【０００３】
この種の収納トレイの多くは、平板の一面に一又は複数の凹部を備え、これら凹部の夫々に、対応する形状及びサイズを有する物品を嵌め込み収納する構成となっている（例えば、特許文献１参照）。また、矩形の外枠の内側に長辺及び短辺に沿って夫々スライド移動する２つの移動枠を備え、これらの移動枠及び前記外枠の残りの２辺により矩形平板状の物品の周縁を支持する構成とした収納トレイも提案されている（例えば、特許文献２参照）。
【特許文献１】特開２００２−３５３３０２号公報
【特許文献２】特開平１１−３６０７４号公報
【発明の開示】
【発明が解決しようとする課題】
【０００４】
さて、前述した液晶ディスプレイ装置の製造工程においては、近年における装置の大型化に伴い、異なるサイズを有する多くのパネルモジュールが混在しており、更には、同一サイズのパネルモジュールであっても、前述した製造工程の各段階において大きさが異なることから、異なるサイズを有するパネルモジュールを安定して収納可能な収納トレイが必要である。
【０００５】
このようなパネルモジュールの収納のために特許文献１に開示された収納トレイを用いようとした場合、物品収納用の凹部の大きさ、数、及びこれらの組み合わせを変更した多種の収納トレイが必要となり、多大の設備負担を強いることとなる。
【０００６】
また、大サイズのパネルモジュールの収納可能に設けられた凹部内に小サイズのパネルモジュールを収納することは可能であるが、この場合、搬送時における凹部内での位置ずれによりパネルモジュールが損傷する虞れがあり、望ましい使用形態ではない。
【０００７】
一方、特許文献２に開示された収納トレイは、移動枠を移動させることにより異なるサイズのパネルモジュールの収納に対応させることが可能であるが、最大サイズのパネルモジュールを収納可能に構成された外枠に最小サイズのパネルモジュールを収納する際の収納効率が低く、多くのパネルモジュールを保管する際、本来不要な多大の空間が必要となるという問題がある。
【０００８】
以上の問題は、液晶ディスプレイ装置のパネルモジュールに限らず、サイズの異なる平板状の物品を収納し、搬送又は保管に供すべく用いられる収納トレイ全般において同様に発生する問題であり、簡素な構成によりサイズの異なる平板状の物品を安定して平置き収納し得る収納トレイの実現が切望されている。
【０００９】
本発明は斯かる事情に鑑みてなされたものであり、平板状の物品をサイズの如何に拘らず安定して平置き収納することができ、また収納形態を変えて複数の物品の一括収納にも対応可能な収納トレイを提供することを目的とする。
【課題を解決するための手段】
【００１０】
本発明に係る収納トレイは、平板状をなす物品を底板上に平置き収納する収納トレイにおいて、前記底板の上面にスライド可能に取付けられ、前記物品の周縁を支持する受け座を夫々の上部に有する複数の受け具と、各受け具のスライド域に対応して前記底板に形成されたピン孔と、該ピン孔に装着され、夫々の受け具に設けた係合部と各別に係合して、各受け具を夫々のスライド域内の所定位置に位置決めする位置決めピンとを備えることを特徴とする。
【００１１】
本発明においては、底板上にてスライド移動する複数の受け具を、底面に形成されたピン孔に装着された位置決めピンと係合させて、収納対象となる物品のサイズ及び収納形態に対応するように位置決めし、これらの受け具の上部に設けた受け座に物品の周縁部を支持し、該物品を底板上に平置き収納する。
【００１２】
また本発明に係る収納トレイは、前記係合部が、前記受け具のスライド方向と平行をなす外側面に設けてあることを特徴とする。
【００１３】
この発明においては、受け具の位置決めピンとの係合部をスライド方向と平行をなす外側面に設け、底板上のピン孔との位置合わせを容易としながら、位置決め状態下でのスライド移動を確実に拘束する。
【００１４】
また本発明に係る収納トレイは、前記受け具の下面に突設された支持脚と、前記底板に貫通形成された長孔とを備え、前記受け具は、前記支持脚を前記長孔に差し込み、該長孔をスライド案内として前記底板に着脱自在に取付けてあることを特徴とする。
【００１５】
この発明においては、受け具に突設された支持脚を底板に形成された長孔に差し込み支持する構成により、底板上にてスライド移動可能な受け具を着脱自在に構成し、必要分だけの取付けにより種々のサイズの物品の所望の形態での収納に簡易に対応する。
【００１６】
また本発明に係る収納トレイは、前記長孔が、収納対象となる物品に応じて前記受け具の取付けの有無を選択すべく、前記底板の面内の複数箇所に設けてあることを特徴とし、更に前記支持脚が、前記長孔を貫通して前記底板の下面に突出する先端部に、前記長孔の側縁との当接により抜け止め作用をなす止め輪を備えることを特徴とする。
【００１７】
これらの発明においては、底板の複数箇所に設けた長孔への受け具の取付けの有無により、対象物品のサイズ及び収納形態への簡易な対応を可能とし、また支持脚の先端に長孔の周縁に当接する止め輪を設け、各長孔に沿ってスライド移動する受け具の抜け落ちを防止する。
【００１８】
また本発明に係る収納トレイは、前記受け具が、発泡樹脂製であることを特徴とし、更に、前記位置決めピンが、ゴム材料製であることを特徴とする。
【００１９】
これらの発明においては、発泡スチロール、発泡ウレタン等の発泡樹脂により受け具を構成し、夫々の上部の受け座に物品を柔軟に支持すると共に、収納トレイ全体の軽量化を実現し、更に、弾性変形可能なゴム材料製の位置決めピンにより受け座を位置決めし、位置決め後における受け具の微小変位を許容して、これらの受け具により周縁を支持された対象物品への衝撃を緩和する。
【００２０】
また本発明に係る収納トレイは、前記位置決めピンが、前記受け具の外側からの係合が可能な引っ掛け部を備えることを特徴とする。
【００２１】
この発明においては、位置決めピンの引っ掛け部に、所定の治具又は作業者の手指を受け具の外側から係合させることにより、受け具の取り外しのための位置決めピンの抜き取りを容易化する。
【００２２】
更に本発明に係る収納トレイは、液晶ディスプレイ装置用のパネルモジュールを収納対象物品として構成してあることを特徴とする。
【００２３】
この発明においては、サイズ及び収納形態の如何に拘らず安定した収納が可能な前述した収納トレイを、種々のサイズを有する液晶ディスプレイ装置用のパネルモジュールの収納に利用し、工程間の搬送又は保管を高効率にて実現する。
【発明の効果】
【００２４】
本発明に係る収納トレイにおいては、底板上の複数の受け具をにスライド移動させて位置決めし、これらの受け具に設けた受け座に物品の周縁を支持するから、サイズの異なる物品を所望の収納形態にて効率的に平置き収納することが可能となる。
【００２５】
またスライド方向と平行をなす受け具の外側面に位置決めピンの係合部を設けたから、底板上への位置合わせが容易となり、対象物品に応じた所望の位置に容易に位置決めすることができ、また位置決め後のスライド移動を確実に拘束することができる。
【００２６】
また受け具に突設された支持脚を底板に形成された長孔に差し込み支持し、受け具を着脱自在としたから、種々の物品の収納に必要分だけの受け具の取付けにより簡易に対応することができ、更に、支持脚の先端に止め輪を設けたから、取付けられた受け具の抜け落ちを防止し、物品に応じた受け具のスライド移動を安定して行わせることができる。
【００２７】
また受け具を発泡樹脂製とし、位置決めピンをゴム材料製としたから、受け具上の物品を柔軟に支えることができ、また収納トレイ全体を軽量化することができる。
【００２８】
また位置決めピンに引っ掛け部を設けたから、不要時の取り外しに際しての位置決めピンの抜き取りが容易に行え、収納物品に応じた受け具の着脱に簡易に対応することが可能となる。
【００２９】
更に、以上の如き収納トレイを液晶ディスプレイ装置用のパネルモジュールの収納に用いたから、種々のサイズを有し、傷つき易いパネルモジュールを安定して平置き収納することができ、製造工程間の搬送又は保管の効率化に寄与することが可能となる等、本発明は優れた効果を奏する。
【発明を実施するための最良の形態】
【００３０】
以下本発明をその実施の形態を示す図面に基づいて詳述する。図１、図２及び図３は、本発明に係る収納トレイの斜視図である。図示の収納トレイ１は、液晶ディスプレイ装置のパネルモジュール２を対象物品として構成されており、図２には、大サイズの１枚のパネルモジュール２の収納時の状態が、図３には、小サイズの２枚のパネルモジュール２，２が収納された状態が夫々示されている。
【００３１】
収納トレイ１は、矩形の底板10の４辺を略垂直に立ち上がる短幅の側板11により縁取って構成された浅底皿形の部材であり、図１に示す如く底板10には、両短辺の内側に、これらと直交する向きに延びる各２つの長孔12，12が、また両長辺の内側に、これらと直交する向きに延びる各４つの長孔13，13…が夫々形成されている。また底板10の中央部には、前記長孔12，12と整合する位置に、これらと同向きに延びる２つの長孔14，14が、長手方向に適宜の間隔を隔てて２組形成されている。これらの長孔12，13，14には、図２及び図３に示す如く、パネルモジュール２の収納形態に応じて選択的に受け具３，３…の取付けがなされる。
【００３２】
図４及び図５は、受け具３の取付け態様の説明図である。図４に示す如く受け具３は、矩形ブロック形をなす部材であり、該受け具３の高さ方向の一面には、長手方向に２段に段落ち形成された受け座30，31が設けられている。また受け具３の高さ方向の他面には、その中心部に、円柱形をなす支持脚32が略垂直をなして突設されており、該支持脚32の先端部は、他部よりも大径の止め輪33が一体形成されている。更に、受け具３の幅方向の一側面には、半円形断面を有する凹溝として形成された係合部としてのピン受け部34が全高に亘って設けられている。
【００３３】
このような受け具３の取り付けのために収納トレイ１の底板10に形成された長孔12は、支持脚32の外径に対応する幅を有して延設されており、長手方向一側の端部には、支持脚32先端の止め輪33の挿通が可能な大径部 12aが設けられている。このような長孔12の他端部近傍には、幅方向に受け具３の略半幅に略相当する距離を隔ててピン孔15が貫通形成されている。
【００３４】
受け具３は、図５（ａ）に示す如く支持脚32の突設面を下向きとして底板10の上方に位置決めされ、図中に矢符により示す如く、支持脚32先端の止め輪33を長孔12の一端に設けた大径部 12aに差し込み、図５（ｂ）に示す如く底板10上に載置される。このとき、止め輪33は底板10の下面から突出し、支持脚32が長孔12内に位置する状態となり、受け具３は、長孔12内に嵌め込まれる支持脚32の拘束下において、長孔12の延設方向へのスライド移動が可能である。
【００３５】
図５（ｂ）には、スライド移動中の受け具３が２点鎖線により示してある。底板10の下面から突出する止め輪33は、長孔12の幅よりも大径であり、２点鎖線により示す位置にある止め輪33は、底板10の下面において長孔12の両側縁に当接し、受け具３の上方への抜け出しを阻止する抜け止め作用をなす。従って受け具３は、長孔12の長さ範囲内において上方への抜け出しの虞れなくスライド移動させることができ、このように移動する受け具３は、図５（ｃ）に示す如く、長孔12の端部近傍にまで達し、スライド方向と平行をなす側面に形成されたピン受け部34が底板10に貫通形成されたピン孔15に整合する移動位置において、該ピン孔15に上方から挿入され装着される位置決めピン４をピン受け部34に係合せしめて位置決めされる。
【００３６】
図４に示す如く位置決めピン４は、全長に亘って等径の止めピンであり、一側端部近傍には、外周面を鉤形に切欠いてなる引っ掛け部40が設けてある。このような位置決めピン４のピン孔15への挿入は、図４に示す如く、引っ掛け部40の形成部位が受け具３と対向しないように周方向に位置決めしてなされている。
【００３７】
以上の如く受け具３は、底板10に設けた長孔12に支持脚32を嵌め込み、該長孔12に沿ってスライド移動させ、位置決めピン４の挿入により底板10の面上の所定位置に取り付けられる。また、このように取付けられた受け具３は、取付け時と逆の手順、即ち、ピン孔15から位置決めピン４を抜き出して受け具３の拘束を解除し、長孔12に沿って移動させ、支持脚32先端の止め輪33が長孔12の大径部 12aと整合した位置にて上方に抜き出すことにより取り外すことができる。
【００３８】
位置決めピン４に設けられる引っ掛け部40は、ピン孔15からの抜き出しに際し、適宜の治具、作業者の手指を引っ掛けるべく利用される。この引っ掛け部は、図４に示す形態に限らず適宜の形態とすることができる。図６は、位置決めピン４の他の実施の形態を示す斜視図であり、図６（ａ）に示す位置決めピン４は、大径の頭部41を備え、この頭部41の下縁を引っ掛け部として利用すべくなしてあり、図６（ｂ）に示す位置決めピン４は、外周の一部に外向きに突出するように設けられた引っ掛け部42を備えている。
【００３９】
位置決めピン４の係合部として受け具３に設けられるピン受け部34は、図４中に２点鎖線にて示す如く、受け具３の適宜部位を上下に貫通する貫通孔として形成してもよいが、図４中に実線にて示す如く、受け具３のスライド方向と平行な面にピン受け部34を設けることにより、底板10上のピン孔15との位置合わせが容易となり、所望位置への取付けを簡易に行わせることができる。また位置決めピン４を挿入すべく底板10に貫通形成されるピン孔15は、図４中に２点鎖線により示す如く、長孔12の延設の方向に２つ設けてもよく、また３つ以上設けることもできる。これにより、長孔12に沿って移動する受け具３を複数箇所にて位置決めすることが可能となる。
【００４０】
また位置決めピン４は、適宜の抵抗下にて弾性変形が可能な材料、例えば、ゴム材料等の弾性材料製するのが望ましい。これにより受け具３は、位置決めピン４の弾性変形を伴って位置決め後に微小変位することができ、該受け具３の上部に後述の如く支持されるパネルモジュール２に加わる外力の緩衝作用をなすことができる。またこの緩衝作用をより強化すべく、受け具３は、発泡スチロール、発泡ウレタン、発泡ポリオレフィン等の発泡樹脂製、又はゴム材料等の弾性材料製とするのが望ましい。但し、このような緩衝作用が要求されていない場合には、鉄、木材、樹脂等の硬質材料製の受け具３及び位置決めピン４を用いてもよい。なお、発泡樹脂製の受け具３は、収納トレイ１全体の軽量化にも寄与し得る。
【００４１】
更に、ゴム材料製の位置決めピン４は、ピン孔15への差し込み時に縮径し、この差し込みを容易に行わせることができ、また差し込み後にピン孔15内にて弾性復元し、ピン孔15からの不用意な抜け出しを防止することができ、抜け止めのための専用の手段を必要としない。
【００４２】
底板10に設けられた他の長孔13，14への受け具３の取付けも全く同様にして行われる。図１には、長孔13，14の側部に設けられたピン孔15も図示してある。
【００４３】
１枚のパネルモジュール２を収納する場合、図２に示す如く、底板10の両短辺の内側に並ぶ２つの長孔12，12の夫々と、底板10の両長辺の内側に並ぶ各４つの長孔13，13…のうち、中央に位置する２つとに受け具３，３…が取付けられる。これらの受け具３，３…の取付けは、受け座30，31の並設側を内向きとしてなされており、図中に２点鎖線により示すパネルモジュール２は、これの周縁部を、例えば、夫々の受け具３，３…の上段の受け座30，30…上に載置し、各受け具３，３…を支持脚として底板10の上面から適長離反した状態で平置き収納される。
【００４４】
受け具３，３…の下段の受け座31，31…は、図２に示すパネルモジュール２よりもわずかに小さいサイズを有するパネルモジュール２の収納に利用される。また、前述の如く、ベゼル付きパネルをも収納対象とする場合、上段の受け座30，30…をベゼル付きパネルの載置部として利用し、下段の受け座31，31…をベゼル無しのパネルの載置部として利用することも可能である。このような使い分けは、各受け具３の受け座30，31の段落ち位置を対象となる物品の寸法差に応じて設定することにより実現される。
【００４５】
また受け具３，３…は、各別の長孔12，12…及び長孔13，13…に沿ってスライド移動可能であり、この移動により受け具３，３…は、相互に接離する結果、サイズの異なるパネルモジュール２の収納に対応させることができる。なおこの場合、長孔12，13の長さを必要な移動距離に応じて設定し、前述の如く、各長孔12，13の一側に複数のピン孔15，15…を設け、これら夫々の対応位置にて受け具３，３…を固定することにより実現される。
【００４６】
受け具３を前述の如く発泡樹脂製とした場合、受け座30又は31上に載置されたパネルモジュール２の周縁部は、下部から柔軟に支えられ、接触部における傷付き等の不具合の発生を未然に防止することができる。更に位置決めピン４をゴム材料製とした場合、該位置決めピン４の弾性変形を伴う受け具３の微小変位が可能であり、この微小変位と受け具３自体の柔軟さとの相乗作用によりパネルモジュール２に加わる衝撃を緩衝することができる。これにより、収納トレイ１に衝撃的な外力が加わった場合においてもパネルモジュール２を安定して支持することが可能となる。
【００４７】
小サイズの２枚のパネルモジュール２，２を並列収納する場合、図３に示す如く、前記長孔12，13，14の全てに受け具３，３…が取付けられる。この取付けは、各受け具３の受け座30，31の向きを図示の如く設定してなされており、図中に２点鎖線により示すパネルモジュール２は、その長辺の向きを底板10の短辺の方向に合わせ、該短辺の内側に並ぶ２つの長孔12，12、夫々に対応する長孔14，14、及びこれらの両側に位置する各２つの長孔13，13に夫々取付けられた８つの受け具３，３…の上方に位置決めされ、これらの受け具３，３…の受け座30，30…（又は受け座31，31…）上に周縁を載置することにより、底板10の上面から適長離反した状態で平置き収納される。残りの１枚のパネルモジュール２は、残りの８つの受け具３，３…を支持体として全く同様に収納され、２枚のパネルモジュール２，２を並列収納が実現される。
【００４８】
この収納状態においても、受け座30，31の選択的な使用、及び各別の長孔12，13，14に沿った受け具３，３…のスライド移動により、更に小サイズのパネルモジュール２，２の収納が可能となる。
【００４９】
このように、底板10上にスライド移動可能な受け具３，３…を備えて構成された本発明に係る収納トレイ１においては、これらの受け具３，３…の選択的な使用及びスライド移動により、更には、夫々の受け具３に設けた複数の受け座30，31の選択的な使用により、種々に異なるサイズを有するパネルモジュール２の収納が可能となり、更に、２枚のパネルモジュール２，２の並列収納も可能となる。また、相互に干渉しない範囲において更に多くの受け具３，３…を備えることにより、３枚以上のパネルモジュール２，２…の一括収納にも対応することが可能である。
【００５０】
なお以上の実施の形態においては、夫々の受け具３，３…が底板10に対して着脱自在としてあるが、使用しない受け具３，３…をパネルモジュール２に干渉しない位置に退避移動させ得るならば、着脱自在とすることは必ずしも必要ではない。
【００５１】
また以上の実施の形態においては、液晶ディスプレイ装置のパネルモジュール２を対象物品として説明したが、本発明に係る収納トレイ１は、平板状をなす物品を収納対象とする用途全般に適用可能であり、同様の作用効果が得られることは言うまでもない。
【図面の簡単な説明】
【００５２】
【図１】本発明に係る収納トレイの斜視図である。
【図２】１枚のパネルモジュールの収納時の状態を示す本発明に係る収納トレイの斜視図である。
【図３】２枚のパネルモジュールの収納時の状態を示す本発明に係る収納トレイの斜視図である。
【図４】受け具の取付け態様の説明図である。
【図５】受け具の取付け態様の説明図である。
【図６】位置決めピンの他の実施の形態を示す斜視図である。
【符号の説明】
【００５３】
１    収納トレイ
２    パネルモジュール
３    受け具
４    位置決めピン
10    底板
12、13，14    長孔
15    ピン孔
30，31    受け座
34    ピン受け部
【図１】
2005145461.tif 000003
【図２】
2005145461.tif 000004
【図３】
2005145461.tif 000005
【図４】
2005145461.tif 000006
【図５】
2005145461.tif 000007
【図６】
2005145461.tif 000008